(57)【要約】【課題】前方から液晶表示パネルに衝撃が加わったときに、液晶表示パネルおよびこの背面側に位置する液晶プリント板をその衝撃から保護する。【解決手段】画面が正面前方を向く液晶表示パネル１２と、この液晶表示パネル１２が正面側に搭載される液晶プリント板１３と、この液晶プリント板１３をこの背面側から保持するベース１０Ａと、液晶表示パネル１２の画面を外部に臨ませるための窓孔を有しベース１０Ａに取り付けられてその正面側を閉塞するカバー１１とを備え、液晶表示パネル１２の背面側に弾性体としてのコイルスプリング１８を設けた。【選択図】　図１
2004117723.tif 000002
【特許請求の範囲】
【請求項１】
画面が正面前方を向く液晶表示パネルと、この液晶表示パネルが正面側に搭載される液晶プリント板と、この液晶プリント板をこの背面側から保持するベースと、前記液晶表示パネルの画面を外部に臨ませるための窓を有し前記ベースに取り付けられてその正面側を閉塞するカバーとを備え、前記液晶表示パネルの背面側に弾性体が設けられていることを特徴とする液晶表示パネル付き電子機器。
【請求項２】
前記ベースおよび前記弾性体は一体成形品であり、前記弾性体は、背面側に弾性変形可能なばね性を持つ形状に形成され、前記液晶プリント板を保持することを特徴とする請求項１記載の液晶表示パネル付き電子機器。
【請求項３】
前記弾性体は、前記ベースから延設され、背面側に弾性変形したときに前記ベースの面に近接または当接することを特徴とする請求項２記載の液晶表示パネル付き電子機器。
【請求項４】
前記液晶表示パネルが取り付けられる取付金具を備え、この取付金具は、前記液晶プリント板に伸びて当接することにより当該取付金具に取り付けられた液晶表示パネルを支える足部を一体に有し、この足部が前記弾性体として金属ばねとなっていることを特徴とする請求項１記載の液晶表示パネル付き電子機器。
【請求項５】
前記足部の先端には、前記液晶プリント板側に設けられたピンに填り込むスリットが形成されていることを特徴とする請求項４記載の液晶表示パネル付き電子機器。
【発明の詳細な説明】
【０００１】
【発明の属する技術分野】
本発明は、液晶表示パネルと、ベースおよびカバーにより構成され液晶表示パネルを収容するハウジングとを備える例えばインターホンなどの液晶表示パネル付き電子機器に関するものである。
【０００２】
【従来の技術】
図１１は従来の液晶表示パネル付き電子機器の分解斜視図、図１２は同液晶表示パネル付き電子機器の正面図（ａ）、右側面図（ｂ）および上側面図（ｃ）、図１３は同液晶表示パネル付き電子機器の一部分解斜視図、図１４は同液晶表示パネル付き電子機器の断面図である。
【０００３】
図１１〜図１３に示す液晶表示パネル付き電子機器は、室内に設けられるインターホンであり、例えば樹脂製のハウジングを構成するベース１０およびカバー１１を備え、そのハウジング内に各種部品を収容している。例えば、画面が正面前方を向く横長矩形状の液晶表示パネル１２と、この液晶表示パネル１２よりも一回り大きな矩形状に形成され四隅の各々に挿通孔１３ａが穿設された液晶プリント板１３と、これらの間に介在する取付金具１４とが収容されているほか、電源、スピーカ、マイクおよび各種電子部品などが収容されている。なお、１７はメインプリント板であり、その実装部品は図示省略してある。
【０００４】
取付金具１４は、例えば金属板により液晶表示パネル１２と同程度の大きさの矩形状に形成されてなり、当該取付金具１４の一方の対角位置の各隅に、ねじ１９の足部挿通用の挿通孔１４ａを有している。そして、この取付金具１４の正面および背面には、それぞれ液晶表示パネル１２および液晶プリント板１３が取付固定される。以下、互いに取付固定されたこれら液晶表示パネル１２、液晶プリント板１３および取付金具１４の一式を液晶表示ブロックと呼ぶ。
【０００５】
ベース１０は、縦長の開口１０ａを前方に有する箱状に形成され、底部１００前面上部に、液晶プリント板１３の各挿通孔１３ａに対応する間隔で、円柱状の保持用ボス１０１が一体に形成されている。そして、それら４本の保持用ボス１０１のうち、上記挿通孔１４ａに対応する各保持用ボス１０１の先端にはねじ穴１０１ａが形成されている一方、残りの各保持用ボス１０１の先端は一回り小さい突起１０１ｂが形成されている（図１４参照）。
【０００６】
カバー１１は、縦長の開口を後方に有する箱状に形成され、液晶表示パネル１２の画面を外部に臨ませるための窓孔１１ａを有し、ベース１０の開口１０ａ側に取り付けられてその開口正面側を閉塞する。このカバー１１には、窓孔１１ａを閉塞するための透明な保護パネル１５が取り付けられているほか、例えば応答時などに使用される送話釦１６が前面下方中央に係止されている。
【０００７】
上記構成の液晶表示パネル付き電子機器の組立てについては、ベース１０の所定位置にメインプリント板１７を収容した後、上記液晶表示ブロックを４本の保持用ボス１０１上に配置してねじ１９でねじ止めし、ベース１０およびカバー１１への必要な部品の収容ないし装着が完了した後に、ベース１０の開口１０ａ側にカバー１１を取り付ける。これにより、組立てが完了し、図１２に示す液晶表示パネル付き電子機器が得られる。
【０００８】
図１５は別の従来の液晶表示パネル付き電子機器のカバーおよび液晶表示パネルを示す斜視図、図１６は同液晶表示パネル付き電子機器の断面図である。
【０００９】
図１５，図１６に示す液晶表示パネル付き電子機器も、上記と同様のインターホンであり、液晶表示パネル１２を正面側に搭載する液晶プリント板１３ＰＡが、４本のねじＳ１によってカバー１１ＰＡの４本の保持用ボス１１１にねじ止めされる点で、上記インターホンと相違している。なお、図１５，図１６において、１０ＰＡはベース、１７ＰＡはメインプリント板である。
【００１０】
さらに、特開２００２−１３５６８６号公報（特許文献１）には、プリント基板、ＬＣＤＰ板、ＬＣＤパネル、スピーカ、その他の電気回路部品を収容したベース体と、ベース体の表面に装着され、ＬＣＤパネルと対応する位置に開口窓部を形成したカバー体と、開口窓部に嵌着されるカバーパネルとから成るＴＶ付きドアホンにおいて、カバー体の開口窓部には、ＬＣＤパネルとの間に２色成形によって形成した弾性材料を設けたＴＶ付きドアホンが開示されている。
【００１１】
【特許文献１】
特開２００２−１３５６８６号公報
【００１２】
【発明が解決しようとする課題】
しかしながら、図１１〜図１４に示した従来の液晶表示パネル付き電子機器では、ベース１０の剛性のある４本の保持用ボス１０１上に液晶表示パネル１２が固定されるので、保護パネル１５に前方から衝撃が加わった場合（図１４）、保護パネル１５が変形して、剛性のある４本の保持用ボス１０１上に固定された液晶表示パネル１２の画面にぶつかるため、液晶表示パネル１２が割れる可能性があった。
【００１３】
図１５，図１６に示した従来の液晶表示パネル付き電子機器でも、カバー１１ＰＡの剛性のある４本の保持用ボス１１１に、液晶表示パネル１２が正面側に位置する液晶プリント板１３ＰＡをねじ止めするので、保護パネル１５に前方から衝撃が加わった場合（図１６）、保護パネル１５が変形して、剛性のある４本の保持用ボス１１１に固定された液晶プリント板１３ＰＡ上の液晶表示パネル１２の画面にぶつかるため、液晶表示パネル１２が割れる可能性がある。
【００１４】
特開２００２−１３５６８６号公報のＴＶ付きドアホンでは、カバー体の開口窓部にはＬＣＤパネルとの間に２色成形によって形成した弾性材料を設けてあるので、ＬＣＤパネル（液晶表示パネル）が割れるのを防止することができる。しかしながら、前方から衝撃が加わった場合、ＬＣＤパネルを通して、４隅が固定されたＬＣＤＰ板（液晶プリント板）に衝撃が伝わり、そのＬＣＤＰ板が割れる可能性がある。
【００１５】
本発明は、上記事情に鑑みてなされたものであり、前方から液晶表示パネルに衝撃が加わっても、前方からの衝撃による液晶表示パネルの破損を防止することができるだけでなく、液晶表示パネルの背面側に位置する液晶プリント板をもその衝撃から保護することができる液晶表示パネル付き電子機器を提供することを目的とする。
【００１６】
【課題を解決するための手段】
上記課題を解決するための請求項１記載の発明の液晶表示パネル付き電子機器は、画面が正面前方を向く液晶表示パネルと、この液晶表示パネルが正面側に搭載される液晶プリント板と、この液晶プリント板をこの背面側から保持するベースと、前記液晶表示パネルの画面を外部に臨ませるための窓を有し前記ベースに取り付けられてその正面側を閉塞するカバーとを備え、前記液晶表示パネルの背面側に弾性体が設けられていることを特徴とする。
【００１７】
請求項２記載の発明は、請求項１記載の液晶表示パネル付き電子機器において、前記ベースおよび前記弾性体は一体成形品であり、前記弾性体は、背面側に弾性変形可能なばね性を持つ形状に形成され、前記液晶プリント板を保持することを特徴とする。
【００１８】
請求項３記載の発明は、請求項２記載の液晶表示パネル付き電子機器において、前記弾性体は、前記ベースから延設され、背面側に弾性変形したときに前記ベースの面に近接または当接することを特徴とする。
【００１９】
請求項４記載の発明は、請求項１記載の液晶表示パネル付き電子機器において、前記液晶表示パネルが取り付けられる取付金具を備え、この取付金具は、前記液晶プリント板に伸びて当接することにより当該取付金具に取り付けられた液晶表示パネルを支える足部を一体に有し、この足部が前記弾性体として金属ばねとなっていることを特徴とする。
【００２０】
請求項５記載の発明は、請求項４記載の液晶表示パネル付き電子機器において、前記足部の先端には、前記液晶プリント板側に設けられたピンに填り込むスリットが形成されていることを特徴とする。
【００２１】
【発明の実施の形態】
（第１実施形態）
図１は本発明に係る第１実施形態の液晶表示パネル付き電子機器の一部を示す分解斜視図、図２は液晶表示パネル付き電子機器の断面図である。
【００２２】
第１実施形態の液晶表示パネル付き電子機器は、図１，図２に示すように、カバー１１、液晶表示パネル１２、液晶プリント板１３、取付金具１４、保護パネル１５、送話釦１６およびメインプリント板１７などを図１１〜図１４に示した従来の液晶表示パネル付き電子機器と同様に備えているほか、その従来の液晶表示パネル付き電子機器との相違点として、ベース１０Ａを備え、液晶表示パネル１２の背面側に弾性体として４つのコイルスプリング１８が設けられる構成になっている。
【００２３】
ベース１０Ａは、縦長の開口１０ａを前方に有する箱状に形成され、底部１００前面上部に、液晶プリント板１３の各挿通孔１３ａに対応する間隔で、円柱状の保持用ボス１０１Ａが一体に形成されている。それら４本の保持用ボス１０１Ａの各々は、上記従来の液晶表示パネル付き電子機器の保持用ボス１０１が持つ突起１０１ｂよりも長い突起１０１ｃを有している。そして、これら４つの突起１０１ｃは、それぞれ４つのコイルスプリング１８に挿通した上で液晶プリント板１３の４つの挿通孔１３ａに挿通するようになっている。
【００２４】
このように、４つの突起１０１ｃが、それぞれ４つのコイルスプリング１８に挿通した上で液晶プリント板１３の４つの挿通孔１３ａに挿通することにより、前方から液晶表示パネル１２に衝撃が加わっても、その衝撃力が液晶表示パネル１２の背面側に設けられているコイルスプリング１８によって吸収されるため、前方からの衝撃による液晶表示パネル１２の破損を防止することができる。しかも、液晶表示パネル１２の背面側にコイルスプリング１８が設けられる構造により、液晶表示パネル１２の背面側に位置する液晶プリント板１３をも上記衝撃から保護することができる。
【００２５】
（第２実施形態）
図３は本発明に係る第２実施形態の液晶表示パネル付き電子機器の一部を示す分解斜視図、図４は液晶表示パネル付き電子機器の断面図である。ただし、図４（ｂ）は図４（ａ）の一部拡大図である。
【００２６】
第２実施形態の液晶表示パネル付き電子機器は、図３，図４に示すように、カバー１１、液晶表示パネル１２、液晶プリント板１３、取付金具１４、保護パネル１５、送話釦１６およびメインプリント板１７などを図１１〜図１４に示した従来の液晶表示パネル付き電子機器と同様に備えているほか、その従来の液晶表示パネル付き電子機器との相違点として、ベース１０Ｂを備え、液晶表示パネル１２の背面側に弾性体が設けられる構成になっている。
【００２７】
ベース１０Ｂは、縦長の開口１０ａを前方に有する箱状に形成され、底部１００前面上部に、液晶プリント板１３の各挿通孔１３ａに対応する間隔で、保持用ボス１０１Ｂが一体に形成され、これらの各保持用ボス１０１Ｂの後方に左右方向に長い孔１０ｂが形成されている。各保持用ボス１０１Ｂは、対応する孔１０ｂの長手方向の一端側上方からその他端側に伸びる板状部Ｂ１とこの板状部Ｂ１の先端から上方に伸びる円柱状部Ｂ２とを一体に有する形状に形成され、その円柱状部Ｂ２の先端に、上記従来の液晶表示パネル付き電子機器の保持用ボス１０１が持つ突起１０１ｂよりも長い突起１０１ｄが形成されている。要するに、ベース１０Ｂおよび上記弾性体は一体成形品であり、その弾性体は、背面側に弾性変形可能なばね性を持つ形状に保持用ボス１０１Ｂを形成することにより構成され、液晶プリント板１３を保持する。
【００２８】
このように、弾性体が背面側に弾性変形可能なばね性を持つ形状に形成されることにより、前方からの衝撃から液晶表示パネル１２と液晶プリント板１３とを保護することができるほか、ベース１０Ｂおよび弾性体としての保持用ボス１０１Ｂが一体成形品であるため、第１実施形態のように弾性体を別部品で備える構成よりもコストを引き下げることができる。
【００２９】
（第３実施形態）
図５は本発明に係る第３実施形態の液晶表示パネル付き電子機器の一部を示す分解斜視図、図６は液晶表示パネル付き電子機器の断面図である。ただし、図６（ｂ）は図６（ａ）の一部拡大図である。
【００３０】
第３実施形態の液晶表示パネル付き電子機器は、図５，図６に示すように、各孔１０ｂを廃止してなるベース１０Ｃを備える以外は第２実施形態の液晶表示パネル付き電子機器と同様に構成される。これにより、ベース１０Ｃから延設された弾性体としての保持用ボス１０１Ｂが、背面側に弾性変形したときにベース１０Ｃの底部１００の面に近接または当接することになる。
【００３１】
このような構成によれば、弾性体としての保持用ボス１０１Ｂが背面側に弾性変形したとき、ベース１０Ｃの底部１００の面に近接する場合には前方からの衝撃をほぼ吸収することができ、ベース１０Ｃの底部１００の面に当接する場合には前方からの衝撃を吸収し、かつ当該保持用ボス１０１Ｂの過度な変形を防止することができる。
【００３２】
（第４実施形態）
図７は本発明に係る第４実施形態の液晶表示パネル付き電子機器の一部を示す分解斜視図、図８は液晶表示パネル付き電子機器の断面図である。ただし、図８（ｂ），（ｃ）は図８（ａ）の一部拡大図であり、前方からの衝撃力を吸収する様子を示している。
【００３３】
第４実施形態の液晶表示パネル付き電子機器は、図７，図８に示すように、ベース１０Ａ、カバー１１、液晶表示パネル１２、液晶プリント板１３、保護パネル１５、送話釦１６およびメインプリント板１７などを第１実施形態の液晶表示パネル付き電子機器と同様に備えているほか、第１実施形態の液晶表示パネル付き電子機器との相違点として、取付金具１４Ａを備え、液晶表示パネル１２の背面側に弾性体が設けられる構成になっている。
【００３４】
取付金具１４Ａは、例えば金属板により液晶表示パネル１２と同程度の大きさの矩形状に形成されてなり、液晶プリント板１３に伸びて当接することにより当該取付金具１４Ａに取り付けられた液晶表示パネル１２を支える４本の足部１４１を一体に有し、これら足部１４１が上記弾性体として金属ばねとなっている。なお、液晶表示パネル１２が正面および背面方向に移動自在であれば、各足部１４１を液晶プリント板１３に固定してもよい。
【００３５】
このような構成によれば、金属ばねの足部１４１により、前方からの衝撃から液晶表示パネル１２と液晶プリント板１３とを保護することができるほか、金属ばねの足部１４１が弾性体として取付金具１４Ａに一体に設けられるので、第１実施形態のように弾性体を別部品で備える構成よりもコストを引き下げることができる。
【００３６】
（第５実施形態）
図９は本発明に係る第５実施形態の液晶表示パネル付き電子機器の一部を示す分解斜視図、図１０は液晶表示パネル付き電子機器の断面図である。ただし、図１０（ｂ）〜（ｅ）は図１０（ａ）の一部拡大図であり、前方からの衝撃力を吸収する様子を示している。
【００３７】
第５実施形態の液晶表示パネル付き電子機器は、第４実施形態の液晶表示パネル付き電子機器との相違点として、取付金具１４Ａに代えて、図９，図１０に示すような取付金具１４Ｂを備えている。取付金具１４Ｂは、先端にスリット１４１ａが形成された足部１４１を４つ備え、各足部１４１のスリット１４１ａが液晶プリント板１３側に設けられた各保持用ボス１０１Ａの突起１０１ｃに填り込むようになっている。なお、突起１０１ｃは樹脂製に限らず金属製のピンでもよい。
【００３８】
このような構成によれば、液晶表示パネル１２の位置決めおよびその保持が可能となり、スリット１４１ａが突起１０１ｃに当たる場合、弾性体としての足部１４１の過度な変形を防止することができる。
【００３９】
【発明の効果】
以上のことから明らかなように、請求項１記載の発明の液晶表示パネル付き電子機器は、画面が正面前方を向く液晶表示パネルと、この液晶表示パネルが正面側に搭載される液晶プリント板と、この液晶プリント板をこの背面側から保持するベースと、前記液晶表示パネルの画面を外部に臨ませるための窓を有し前記ベースに取り付けられてその正面側を閉塞するカバーとを備え、前記液晶表示パネルの背面側に弾性体が設けられているので、前方から液晶表示パネルに衝撃が加わっても、その衝撃力が液晶表示パネルの背面側に設けられている弾性体によって吸収されるため、前方からの衝撃による液晶表示パネルの破損を防止することができ、しかも、液晶表示パネルの背面側に弾性体が設けられる構造により、液晶表示パネルの背面側に位置する液晶プリント板をも前方からの衝撃から保護することができる。
【００４０】
請求項２記載の発明は、請求項１記載の液晶表示パネル付き電子機器において、前記ベースおよび前記弾性体は一体成形品であり、前記弾性体は、背面側に弾性変形可能なばね性を持つ形状に形成され、前記液晶プリント板を保持するので、弾性体が背面側に弾性変形可能なばね性を持つ形状に形成されることにより、前方からの衝撃から液晶表示パネルと液晶プリント板とを保護することができるほか、ベースおよび弾性体が一体成形品であるため、弾性体を別部品で備える構成よりもコストを引き下げることができる。
【００４１】
請求項３記載の発明は、請求項２記載の液晶表示パネル付き電子機器において、前記弾性体は、前記ベースから延設され、背面側に弾性変形したときに前記ベースの面に近接または当接するので、弾性体が背面側に弾性変形したとき、ベースの面に近接する場合には前方からの衝撃をほぼ吸収することができ、ベースの面に当接する場合には前方からの衝撃を吸収し、かつ当該弾性体の過度な変形を防止することができる。
【００４２】
請求項４記載の発明は、請求項１記載の液晶表示パネル付き電子機器において、前記液晶表示パネルが取り付けられる取付金具を備え、この取付金具は、前記液晶プリント板に伸びて当接することにより当該取付金具に取り付けられた液晶表示パネルを支える足部を一体に有し、この足部が前記弾性体として金属ばねとなっているので、金属ばねにより、前方からの衝撃から液晶表示パネルと液晶プリント板とを保護することができるほか、金属ばねが弾性体として取付金具に一体に設けられるので、弾性体を別部品で備える構成よりもコストを引き下げることができる。
【００４３】
請求項５記載の発明は、請求項４記載の液晶表示パネル付き電子機器において、前記足部の先端には、前記液晶プリント板側に設けられたピンに填り込むスリットが形成されているので、液晶表示パネルの位置決めおよびその保持が可能となり、スリットがピンに当たる場合、弾性体としての金属ばねの過度な変形を防止することができる。
【図面の簡単な説明】
【図１】本発明に係る第１実施形態の液晶表示パネル付き電子機器の一部を示す分解斜視図である。
【図２】液晶表示パネル付き電子機器の断面図である。
【図３】本発明に係る第２実施形態の液晶表示パネル付き電子機器の一部を示す分解斜視図である。
【図４】液晶表示パネル付き電子機器の断面図である。
【図５】本発明に係る第３実施形態の液晶表示パネル付き電子機器の一部を示す分解斜視図である。
【図６】液晶表示パネル付き電子機器の断面図である。
【図７】本発明に係る第４実施形態の液晶表示パネル付き電子機器の一部を示す分解斜視図である。
【図８】液晶表示パネル付き電子機器の断面図である。
【図９】本発明に係る第５実施形態の液晶表示パネル付き電子機器の一部を示す分解斜視図である。
【図１０】液晶表示パネル付き電子機器の断面図である。
【図１１】従来の液晶表示パネル付き電子機器の分解斜視図である。
【図１２】同液晶表示パネル付き電子機器の正面図（ａ）、右側面図（ｂ）および上側面図（ｃ）である。
【図１３】同液晶表示パネル付き電子機器の一部分解斜視図である。
【図１４】同液晶表示パネル付き電子機器の断面図である。
【図１５】別の従来の液晶表示パネル付き電子機器のカバーおよび液晶表示パネルを示す斜視図である。
【図１６】同液晶表示パネル付き電子機器の断面図である。
【符号の説明】
１０　ベース
１０１Ａ，１０１Ｂ　保持用ボス
１１　カバー
１２　液晶表示パネル
１３　液晶プリント板
１４，１４Ａ，１４Ｂ　取付金具
１４１　足部
１４１ａ　スリット
１４ａ　挿通孔
１５　保護パネル
１６　送話釦
１７　メインプリント板
１８　コイルスプリング
１９　ねじ
【図１】
2004117723.tif 000003
【図２】
2004117723.tif 000004
【図３】
2004117723.tif 000005
【図４】
2004117723.tif 000006
【図５】
2004117723.tif 000007
【図６】
2004117723.tif 000008
【図７】
2004117723.tif 000009
【図８】
2004117723.tif 000010
【図９】
2004117723.tif 000011
【図１０】
2004117723.tif 000012
【図１１】
2004117723.tif 000013
【図１２】
2004117723.tif 000014
【図１３】
2004117723.tif 000015
【図１４】
2004117723.tif 000016
【図１５】
2004117723.tif 000017
【図１６】
2004117723.tif 000018